(57)【要約】【課題】天板上面に操作部を設けたコンロの使い勝手を向上させることを目的とする。【解決手段】操作部５を天板１手前側の左右いずれか片側に集約することにより、複数個の加熱手段２、３、４のうち、１つをより天板１の手前側に配置することができるため、調理者と加熱手段との距離が近づき、使い勝手を向上させることができる。【選択図】図１
2006064237.tif 000002
【特許請求の範囲】
【請求項１】
コンロ本体を覆う天板と、前記天板の開口部に臨ませて配設した複数の加熱手段と、前記天板上面の手前側の左右どちらか片側に集約して設けられた操作部を備え、前記加熱手段は前記操作部の後方に配置された加熱手段と、その加熱手段より手前側に位置する箇所に別の加熱手段を設けたことを特徴とするガスコンロ。
【請求項２】
最大火力の異なる複数個の加熱手段のうち、最も高火力を有する加熱手段を操作部とは反対側の天板手前側に配置したことを特徴とする請求項１に記載のガスコンロ。
【発明の詳細な説明】
【技術分野】
【０００１】
本発明は、天板上面に操作部を設けたガスコンロに関するものである。
【背景技術】
【０００２】
従来、組み込み式ガスコンロは一般に加熱手段となるバーナの点火−消火（以下ＯＮ−ＯＦＦという）および火力調節は、器具本体であるコンロ本体の略垂直な前側面に設けた操作部で行っている。
【０００３】
また、操作部をコンロ本体の天板上に設けた場合、コンロ本体の両側のどちらか一方に本体より張り出すように設けている構成もある（例えば、特許文献１参照）。
【０００４】
このような構成において、図３に示すようにコンロ本体１０１は、天板１０２をキッチンカウンター１０３に載せて組み込み、そして天板１０２上に並設したバーナ１０４の火炎の熱影響を避けるため、ガスコック１０５の操作部となる摘み１０６が天板１０２の上面における左右端部どちらかにおいて突出して設けねばならなくなる。図中、１０７はゴトクである。
【０００５】
しかしながら、上記従来の前者の構成では、コンロ本体の前側面の操作部でバーナのＯＮ−ＯＦＦおよび火力調節を行う場合、その操作部が通常、腰の高さにあるので、身体を折り曲げる、または屈み込む等の不自然な姿勢を強いられ、操作がし難いのと操作の結果を見て確認する視認性が悪かった。
【０００６】
また、摘み１０６は天板１０２の左右端部のいずれかに設けているので、キッチンカウンター１０３のスペースを摘み１０６の設置スペース分だけ狭くすることになり、摘み１０６を複数設ける場合、天板１０２の手前側から奥方向に複数の摘みを並べることになるため、奥に設けた摘みほど操作性が悪くなることが考えられる。
【特許文献１】特開２００２−８９８５４号公報
【発明の開示】
【発明が解決しようとする課題】
【０００７】
しかしながら、前記従来の構成では、天板上面の操作部より後方にすべての加熱手段が配置されているため、必然的に調理者と調理物との距離が遠くなり、特に小柄な調理者が深い寸胴鍋を使用する場合などは鍋の中が覗きにくいという課題や、複数個の加熱手段間の距離が狭くなるため、複数個の加熱手段すべてに鍋やフライパンを載せて調理する際、大きめの鍋が複数個載らないという課題や、高火力を有する加熱手段の手前に操作部があるため、高火力での調理中に高い輻射熱により操作部が熱くなり、調理者に不安を与えるといった課題や、特に高火力で炒め物などを調理する際には油が飛散しやすく、操作部が汚れやすいという課題を有していた。
【０００８】
本発明は、前記従来の課題を解決するもので、使い勝手を向上させたガスコンロを提供することを目的とする。
【課題を解決するための手段】
【０００９】
前記従来の課題を解決するために、本発明のガスコンロは、天板に臨ませて配設した複数の加熱手段と、天板の上面手前側の左右どちらか片側に集約して設けられた操作部を備え、前記加熱手段の配設構成して、前記操作部の後方に配置された加熱手段と、その加熱手段より手前側に位置する箇所に別の加熱手段を設けたものである。
【００１０】
これによって、最も手前に位置する加熱手段と調理者との距離を近づけられるため、使い勝手を向上させることができる。さらに、複数個配設した加熱手段の間隔が広くとれるため、より大きな鍋を同時に載せることができる。
【発明の効果】
【００１１】
本発明のガスコンロは、操作部を天板の手前側コーナ部に集約して配設することで、天板前方に加熱手段を配設することができ、調理者との距離を近づけることで、使い勝手を向上させることができる。
【発明を実施するための最良の形態】
【００１２】
第１の発明は、コンロ本体を覆う天板と、前記天板の開口部に臨ませて配設した複数の加熱手段と、前記天板上面の手前側の左右どちらか片側に集約して設けられた操作部を備え、前記加熱手段は前記操作部の後方に配置された加熱手段と、その加熱手段より手前側に位置する箇所に別の加熱手段を設けたことを特徴するものであり、１つの加熱手段を天板の最も手前に配置することができるため、調理者とその加熱手段との距離が近づき、調理がしやすくなり、また、複数個の加熱手段間の距離を広くとることができるため、複数個の加熱手段に同時に大きめの鍋やフライパンを載せることができ、使い勝手を向上させることができる。
【００１３】
第２の発明は、最大火力の異なる複数個の加熱手段のうち、最も高火力を有する加熱手段を操作部とは反対側の天板手前側に配置したものであり、これによって、最も熱輻射の高い高火力の加熱手段から操作部を遠ざけることができるため、操作部の温度上昇を抑えることができ、操作性がより向上すると共に、高火力の加熱手段での炒め物などによる操作部への油などの飛散が減るため、操作部が汚れにくくなる。
【００１４】
以下、本発明の実施の形態について、図面を参照しながら説明する。なお、この実施の形態によって本発明が限定されるものではない。
【００１５】
（実施の形態１）
図１は、本発明の実施の形態１におけるガスコンロの斜視図である。
【００１６】
図２（ａ）は、従来のガスコンロの複数個の加熱手段に鍋を載置した状態を示す図であり、（ｂ）は、本発明の実施の形態１におけるガスコンロの複数個の加熱手段に鍋を載置した状態を示す図である。
【００１７】
図１において、天板１の上面手前右側のコーナ部に第１、第２、第３の加熱手段２、３、４の作動を操作する操作部５が配置されている。この操作部５の配設構成により天板１の上面手前左側に天板１の端面まで有効に使える領域を確保し、この領域に最も高い火力を有する第１の加熱手段２が配置され、操作部５の後方に第２の加熱手段３が配置されている。さらに天板１の奥側には第３の加熱手段４が配置されている。
【００１８】
以上のように構成されたガスコンロについて、以下その作用を説明する。
【００１９】
まず、第１の加熱手段２を天板１の最も手前に配置することができるため、調理者と第１の加熱手段２との距離が近づき、調理がしやすくなる。また、図２（ｂ）に示すように、第１、第２、第３の加熱手段２、３、４それぞれの間の距離ｃ、ｄ、ｅを図２（ａ）に示す従来の距離ｃ′、ｄ′、ｅ′よりも広くとることができるため、第３の加熱手段４に従来よりも大きな鍋６を載せることができ、使い勝手を向上させることができる。
【００２０】
さらに、最も高火力を有する第１の加熱手段２から操作部５は離れた位置にあるため、第１の加熱手段２から発生する高い輻射熱の影響をほとんど受けず、火力の小さい第２の加熱手段３の熱影響を受けるのみであり、操作部の温度上昇を抑えることができる。そのため快適な操作が行える。また、高火力の第１の加熱手段２での炒め物などによる操作部５への油などの飛散が減るため、操作部５の汚れが低減できる。
【産業上の利用可能性】
【００２１】
以上のように、本発明にかかるガスコンロは、使い勝手を向上させることができ、ガスコンロだけでなく、電磁誘導加熱調理器等にも適用できる。
【図面の簡単な説明】
【００２２】
【図１】本発明の実施の形態１におけるガスコンロの斜視図
【図２】（ａ）従来の天板上面に操作部を設けたガスコンロの上面図（ｂ）本発明の形態１におけるガスコンロの上面図
【図３】従来の天板上面に操作部を設けたガスコンロの斜視図
【符号の説明】
【００２３】
１  天板
２  第１の加熱手段
３  第２の加熱手段
４  第３の加熱手段
５  操作部
６  鍋
【図１】
2006064237.tif 000003
【図２】
2006064237.tif 000004
【図３】
2006064237.tif 000005